(57)【要約】【課題】  開蓋に道具が不要で、開蓋用スコアに沿って容易に且つ確実に缶天板又は缶地板あるいはその双方を大きく切り開くことができる開蓋性に優れた大型金属製角缶を提供する。【解決手段】  大型金属製角缶１の缶天板１０又は缶地板３０の少なくとも一方には略四角環状に開蓋用スコア１３が刻設されるとともに、この開蓋用スコア１３の４辺もしくは３辺が巻締め部の内側近傍に位置し、開蓋用スコア１３の１辺より若干短い１辺を有する平板取手４０が複数個のリベット部１１で固着される。平板取手４０は、先端に角形状の押圧部４２を複数個備え、その押圧部４２が直線状の開蓋用スコア１３の若干内側に沿うようになっている。平板取手４０を引き起こすと、複数個の押圧部４２によって取手先端側に位置する開蓋用スコア１３の１辺がいっぺんに切り欠かれる。続けて、残りの開蓋用スコア１３に沿って破断が進行するように平板取手４０を引っ張ることで、大型金属製角缶が開蓋される。【選択図】図４
2018127278.tif 000002
【特許請求の範囲】
【請求項１】
缶天板又は缶地板の少なくとも一方に略四角環状に開蓋用スコアが刻設されている大型金属製角缶において、開蓋用スコアの４辺もしくは３辺が巻締め部の内側近傍に位置し、開蓋用スコアの１辺より若干短い１辺を有する開蓋操作のための平板取手が、この開蓋用スコアの１辺の内側に沿って、かつ平板取手の１辺がこの開蓋用スコアの１辺と平行になる向きで、複数個のリベット部で固着されているとともに、該取手の開蓋用スコアに近接する箇所には、直線状の開蓋用スコアの若干内側に沿うように開蓋用スコア初期破断用の角形状の押圧部を複数個備えていることにより、直線状の開蓋用スコアの１辺をいっぺんに切り欠くことができることを特徴とする開蓋容易な大型金属製角缶
【発明の詳細な説明】
【技術分野】
【０００１】  本発明は、食品、塗料、化学品、燃料油などの運搬や保管に使われる大型金属製角缶に係り、特に缶天板又は缶地板の少なくとも一方に開蓋用スコアを設けて開蓋性を向上させた大型金属製角缶に関するものである。
【背景技術】
【０００２】  １８リットル、９リットル缶および４リットル缶に代表される種々のサイズの大型金属製角缶は、金属製板でできた缶天板、缶地板および缶胴で構成されており、強度や密封性、遮光性、耐熱性、耐水性、四角形状による輸送効率性などに優れていることから、食品や塗料、化学品、燃料油などの容器として汎用されている。通常は缶の天板の２辺を挟む角の近傍に抽出口が設けられていることが多く、内容物はこの抽出口から注ぎ出す。【０００３】  しかし、内容物が固形物や流動性の悪いものの場合は、缶切りカッターを使用するなどして缶天板を切り取って使用することが多い。塗料関係でも、作業効率を良くするために、缶天板を切り取って使用することが多い。このように大型金属製角缶をフルオープンする使用方法が定着しているが、缶天板を取り除くのに手間がかかることや、缶天板を切り取る際に生じた金属片が内容物に混入するおそれがあるなどの問題があった。【０００４】  これを解決するために、特公平３−３３５８１号公報では、大型金属製角缶の缶天板の巻締め部に沿って開蓋用スコアを刻設することで、缶天板を切り取り易くする方法が提案されている。この提案では、先の尖った先端部を有するペンチ様の道具を、缶天板の２辺を挟む１隅の近傍にある開蓋用スコアに突き刺して一部を破断した後、缶天板の一部を挟んで、缶天板の対角線上の方向に引き上げるようにして、開蓋用スコアにそって引き裂き、開蓋するようになっている。【０００５】  また、大型金属製角缶以外のフルオープン可能な蓋としては、食品の缶詰などに汎用されるイージーオープン缶が知られている。これは、缶蓋のパネル部に固着された開蓋操作用のタブを使用して開蓋するもので、パネル部の巻締め内側近傍には環状の開蓋用スコアが刻設されており、パネル部にリベット部で固着されているタブに指１本を引っ掛け、引き起こすことで、指を引っ掛けた箇所を力点、リベット部を支点、タブの先端を作用点とするてこの作用が働き、タブの先端が曲線状になっている開蓋用スコアに入り込み、初期破断される。続けてタブを上方に引っ張り上げることで開蓋用スコアの破断が進行し、開蓋されるようになっている。
【先行技術文献】
【特許文献】
【０００６】
【特許文献１】特公平３−３３５８１号公報
【発明の概要】
【発明が解決しようとする課題】
【０００７】  しかし、特許文献１の方法では、缶天板の切り始めの破断と切り開きに専用の道具が必要であることや、缶天板の引き上げに相当の力が必要となること、更には大型金属製角缶のように開蓋用スコアが長くなる場合は、缶天板を引き上げる方向と開蓋用スコアの方向が一致していないことにより、缶天板が開蓋用スコアから外れたラインで切り裂かれてしまうことがある問題があった。【０００８】  また、イージーオープン缶のタブに関しては、これを大型金属製角缶に採用しようとすると、初期破断箇所がタブの先端部一カ所に限られるため、スムーズな開蓋のためには初期破断する開蓋用スコアが曲線状である必要がある。そのため、大型金属製角缶の缶天板又は缶地板の少なくとも一方の角の近傍にある開蓋用スコアが曲線状になっている場所にタブを設ければならないため、前述したように、缶天板又は缶地板の少なくとも一方を切り開く際に、タブを引っ張り上げる方向と開蓋用スコアの方向が一致しないことによる不都合が生じる可能性があった。【０００９】  したがって、本発明の目的は、開蓋に道具が不要で、開蓋用スコアに沿って容易に且つ確実に、缶天板又は地板あるいはその双方を大きく切り開くことができる開蓋性に優れた大型金属製角缶を提供することにある。
【課題を解決するための手段】
【００１０】  前記目的を達成するために、本発明による開蓋容易な大型金属製角缶は下記の特徴を有する。本発明の特徴は、缶天板又は缶地板の少なくとも一方に略四角環状に開蓋用スコアが刻設されている大型金属製角缶であって、開蓋用スコアの４辺もしくは３辺が巻締め部の内側近傍に位置し、開蓋用スコアの１辺より若干短い１辺を有する開蓋操作のための平板取手が、この開蓋用スコアの１辺の内側に沿って、かつ平板取手の１辺がこの開蓋用スコアの１辺と平行になる向きで、複数個のリベット部で固着されるとともに、該取手の開蓋用スコアに近接する箇所には、直線状の開蓋用スコアの若干内側に沿うように開蓋用スコア初期破断用の角形状の押圧部を複数個備えていることにより、直線状の開蓋用スコアの１辺をいっぺんに切り欠くことができることにある。【００１１】  このようにしたため、開蓋の際に平板取手を引き起こすと、平板取手に指をかけた箇所を力点、リベット部を支点、平板取手の押圧部を作用点とするてこの作用により、平板取手の押圧部が、直線状の開蓋用スコアに押し込まれ、開蓋用スコア上の複数の箇所が初期破断される。平板取手を更に引き起こすことで、開蓋用スコアに沿って破断が進行し、隣り合う押圧部による破断が繋がり、平板取手の押圧部側に位置する直線状の開蓋用スコアの１辺をいっぺんに切り欠くことができる。【００１２】  リベット部が１カ所のみであると、大型金属製角缶に設けた直線状の開蓋用スコアの１辺をいっぺんに切り欠いたときに、強い負荷がかかりリベット部が破断してしまうが、本発明ではリベット部を複数個設けており、負荷が分散されるため、開蓋の際にリベット部が破断することはない。【００１３】  さらに、平板取手が開蓋用スコアの１辺に沿って取り付けられているため、缶天板又は缶地板あるいはこの双方を切り開く際に、平板取手を引き上げる方向に対し、取手両脇に位置する開蓋用スコアの方向が一致しているため、開蓋用スコアに沿って確実に切り開くことができるようになる。
【発明の効果】
【００１４】  本発明の大型金属製角缶によれば、開蓋に道具が不要で、開蓋用スコアに沿って容易に且つ確実に缶天板又は缶地板あるいはその双方を大きく切り開くことができる。
【図面の簡単な説明】
【００１５】
【図１】  本発明に係る大型金属製角缶の斜視図である。（第１実施形態）
【図２】  缶天板に平板取手が固着された大型金属製角缶の平面図である。（第１実施形態）
【図３】  図２のＡ−Ａ線に沿った大型金属製角缶の一部断面図である。（第１実施形態）
【図４】  缶天板の開蓋用スコアが初期破断される様子を示す斜視図である。（第１実施形態）
【図５】  図４の工程の後、取手を引き上げて開蓋する様子を示した斜視図である。（第１実施形態）
【図６】  缶天板に平板取手が固着された大型金属製角缶の平面図である。（第２実施形態）
【図７】  缶天板に平板取手が固着された大型金属製角缶の平面図である。（第３実施形態）
【発明を実施するための形態】
【００１６】  以下、本発明にかかる第１実施形態について、図を用いて説明する。はじめに、第１実施形態における大型金属製角缶の構成について図１を用いて説明する。本発明に係る大型金属製角缶１は、缶天板１０、缶胴２０、缶地板３０および平板取手４０を備える。
【００１７】  缶胴２０は金属製板材が角筒形に成形され、両側縁部を溶接されたもので、この上下両端の開口周縁に缶天板１０と缶地板３０が二重巻締めによって取り付けられている。缶天板１０の上端巻締め部１２および缶地板３０の下端巻締め部３１にはシーリングコンパウンドが充填されており、これが大型金属製角缶１の気密性を保持している。缶天板１０には、開蓋操作のための平板取手４０が、缶天板１０に一体的に形成された５個のリベット部１１でのリベット留めによって固着されている。リベット部１１が１個ではなく複数個設けてあることで、開蓋工程で開蓋用スコア１３の１辺がいっぺんに切り欠かれる際のリベット部にかかる負荷が分散され、リベット部が破断される心配がなくなる。
【００１８】  次に、缶天板１０について図２および図３を用いて説明する。缶天板１０の上端巻締め部１２の内側近傍には、全周に亘って破断案内溝である開蓋用スコア１３が刻設されている。この開蓋用スコア１３は上端巻締め部１２に平行に刻設されており、４辺は直線で、隣り合う２辺の直線を繋ぐ４隅は曲線を呈する。これにより、開蓋の際に、缶天板１０を開蓋用スコア１３に沿って完全にかつスムーズに切り開くことができる。開蓋用スコア１３の断面形状は、方形である。また、開蓋用スコア１３の１辺の内側には上方に突出するリベット部１１を５個有する。
【００１９】  次に、平板取手４０について図２および図３を用いて説明する。開蓋操作用の平板取手４０は略長方形を呈しており、その長辺は開蓋用スコア１３の１辺より若干短い長辺を有する。この平板取手４０の一方の長辺には開蓋用スコア初期破断用の角形状の押圧部４２が５個設けられており、この押圧部４２には補強のためのＶ字状の凹みが付けられている。もう一方の長辺の近傍には、開蓋の際に指を通すための円形の指掛け部４１が設けられている。
【００２０】  以下、平板取手４０の押圧部４２が設けられている側を取手の先端、指掛け部４１が設けられている側の長辺を取手の後端と表記する。平板取手４０はリベット部１１によって位置決めされ、このリベット部１１の上端を押し潰すことで缶天板１０の開蓋用スコア１３の内側に固着されており、平板取手４０の先端の押圧部４２からリベット部１１までの距離は、リベット部１１から平板取手４０の後端までの距離よりも大幅に短くしてある。そうすることで、開蓋の際、平板取手４０の後端に指を引っ掛け引き起こすと、指を引っ掛けた箇所を力点、リベット部１１を支点、押圧部４２を作用点とするてこの作用で、平板取手４０の先端の押圧部４２が大きな力で押し下げられることになる。
【００２１】  平板取手４０が缶天板１０に固着された際、押圧部４２の先端が開蓋用スコア１３の若干内側に沿うようになっている。このとき、平板取手４０は缶天板１０の開蓋用スコア１３の１辺に沿って取り付けられているため、缶天板１０を切り開く際に、平板取手４０を取手後端方向に引き上げる方向と取手両脇に位置する開蓋用スコア１３の方向が一致し、開蓋用スコア１３にそって確実に缶天板１０を切り開くことができる。
【００２２】  平板取手４０には短手方向に複数本の補強用ビード４３が形成されており、短手方向の剛性が高められている。平板取手４０の先端の押圧部４２を除く外周縁にはカール成形が施されており、これにより剛性が高められている。また、平板取手４０の高さは、缶の巻締めの高さより低くしており、缶を積み重ねる際の障害とならないようにするのが好ましい。
【００２３】  以下、本発明による大型金属製角缶を開蓋する手順について、図４および図５を用いて説明する。まず、平板取手４０の後端に指を引っ掛け、上方に引き上げる（図４参照）。すると、指を引っ掛けた箇所を力点、リベット部１１を支点、押圧部４２を作用点とするてこの作用により、押圧部４２が開蓋用スコア１３に押し込まれ、開蓋用スコア１３上の押圧部４２に接触した５箇所が初期破断される。平板取手４０を更に引き起こすことで、隣り合う押圧部４２による破断が繋がり、取手先端側に位置する開蓋用スコア１３の直線状の１辺がいっぺんに切り欠かれる。続けて、平板取手４０の指掛け部４１に指を通し、缶天板１０ごと取手後端方向に引き上げる（図５参照）。すると、平板取手４０の両端に位置する開蓋用スコア１３に沿って破断が進行する。最後に、平板取手４０の後端側に位置する開蓋用スコア１３が片端から破断するような方向にねじると、開蓋用スコア１３に沿って破断が進行し、缶天板１０が完全に大型金属製角缶１から切り離される。
【００２４】  以上、本発明の第１実施形態について説明したが、本発明の適用範囲はこれに限られるものではない。例えば、第１実施形態では、缶天板１０に対して開蓋用スコア１３を刻設し、平板取手４０を固着しているが、これらを缶天板１０でなく缶地板３０に対しても行うことができるし、あるいはその双方に行うこともできる。開蓋用スコア１３の断面を方形としているが、Ｕ形、Ｖ形等自由である。平板取手４０の外周縁に施されたカール成形も、必要に応じて付ければよい。平板取手４０の大きさは、開蓋用スコア１３の１辺より若干短い１辺を携えていればよい。
【００２５】  また、図６に示した第２実施形態のように持ち運ぶための手環５０を取り付けることもできる。その場合は、手環５０の厚さを缶の巻締めの高さより薄くし、缶を積み重ねる際の障害とならないようにするのが好ましい。また、平板取手４０の押圧部４２に付けられている補強のためのＶ字状の凹みや、補強用ビード４３も必要に応じて付ければよく、図６のようにこれらがない状態でも、開蓋作業が行えれば問題ない。平板取手４０の形状は、開蓋用スコア１３の１辺より若干短い１辺を携えていれば、その形状に制限はないため、例えば図６のように半月状にしてもよい。平板取手４０の指掛け部４１は、必要に応じて設ければよく、開蓋作業が滞りなく行えれば、孔の形状や個数に制限はないため、例えば図６のように指掛け部４１の形状が略方形で、その個数が１つであっても問題ない。平板取手４０の先端の角形状の押圧部４２の個数は５個に限定されるものではなく、２個以上でかつ、開蓋の際に押圧部４２によって取手先端側に位置する直線状の開蓋用スコア１３をいっぺんに切り欠くことができ、その後の開蓋作業に支障をきたさなければ、個数に特に制限はなく、例えば図６のように４個にしても問題はない。同様に、リベット部１１の個数も５個に限定されるものではなく、複数個でかつ、開蓋によってリベット部が破断されない数であればよく、例えば図６のように７個にしても問題ない。リベット部の数は押圧部の数より多いケース、少ないケース、あるいは同数のケースが存在し得るので、図７に示した第３実施形態のように押圧部の数がリベット部の数より多く、押圧部がリベット部の近傍に位置していないケースでも、開蓋作業に支障をきたさなければ問題はない。また、開蓋用スコア１３を設ける範囲は、本発明によって天板を開蓋する範囲とすればよく、充填物の性状やその取り出し方に応じて決めればよいため、例えば図６や図７のように缶天板１０の面積の半分より少し狭くしても問題ない。
【符号の説明】
【００２６】１    大型金属製角缶
１０  缶天板
１１  リベット部
１２  上端巻締め部
１３  開蓋用スコア
２０  缶胴
３０  缶地板
３１  下端巻締め部
４０  平板取手
４１  指掛け部
４２  押圧部
４３  補強用ビード
５０  手環
【図１】
2018127278.tif 000003
【図２】
2018127278.tif 000004
【図３】
2018127278.tif 000005
【図４】
2018127278.tif 000006
【図５】
2018127278.tif 000007
【図６】
2018127278.tif 000008
【図７】
2018127278.tif 000009